(57)【要約】      （修正有）【課題】定時オンオフを行うことができるタイミングパワースイッチを提供する。【解決手段】タイミングパワースイッチは、交流電源に接続される電源回路ユニット、電源回路ユニットの出力端に接続されたスイッチ回路ユニット及びコントロールユニットを包含し、電源回路ユニットは降圧器、整流器、電圧安定器及び濾波器を包含し、電圧安定器は第１トランジスタとフィードバック回路を包含し、スイッチ回路ユニットはリレーとリレー動作制御用の駆動回路を包含し、コントロールユニットは定時コントロールを行うマイクロコントローラ、マイクロコントローラの表示出力端に接続された定時表示ユニットとマイクロコントローラに接続された定時設定スイッチを包含し、マイクロコントローラの制御出力端と駆動回路入力端が接続される。【選択図】図１
0003161370.tif 000002
【実用新案登録請求の範囲】
【請求項１】
タイミングパワースイッチにおいて、
電源回路ユニットであって、交流電源に接続され、降圧器、整流器、電圧安定器及び濾波器を包含し、該電圧安定器は第１トランジスタとフィードバック回路を包含し、該フィードバック回路は比較器と複数の抵抗を包含し、該第１トランジスタのコレクタとエミッタは該整流器の電圧出力端に並列に接続され、該第１トランジスタのエミッタは接地され、該第１トランジスタのベースの一端は該比較器の出力端に接続された、上記電源回路ユニットと、
スイッチ回路ユニットであって、該電源回路ユニットの出力端に接続され、リレーと該リレーの動作を制御する駆動回路を包含する、上記スイッチ回路ユニットと、
コントロールユニットであって、定時コントロールを行うマイクロコントローラ、マイクロコントローラ電源ユニット、定時表示ユニット及び定時設定スイッチを包含し、該マイクロコントローラの制御出力端と該駆動回路の入力端が接続され、該マイクロコントローラ電源ユニットは該電源回路ユニットの出力端に接続され、該定時表示ユニットは該マイクロコントローラの表示出力端に接続され、該定時設定スイッチは該マイクロコントローラに接続された、上記コントロールユニットと、
を包含したことを特徴とする、タイミングパワースイッチ。
【請求項２】
請求項１記載のタイミングパワースイッチにおいて、該コントロールユニットが、該マイクロコントローラの信号出力端に接続されたブザーをさらに包含したことを特徴とする、タイミングパワースイッチ。
【請求項３】
請求項１記載のタイミングパワースイッチにおいて、該定時表示ユニットが複数の発光ダイオードとされたことを特徴とする、タイミングパワースイッチ。
【請求項４】
請求項１記載のタイミングパワースイッチにおいて、該駆動回路が第２トランジスタを包含することを特徴とする、タイミングパワースイッチ。
【請求項５】
請求項１記載のタイミングパワースイッチにおいて、該マイクロコントローラ電源ユニットが第３トランジスタ、抵抗、コンデンサ及びツェナダイオードを包含し、該抵抗、コンデンサ及び該第３トランジスタがろ波回路を構成し、該ツェナダイオードの一端が該第３トランジスタのベースに接続され、該第３トランジスタのエミッタが該マイクロコントローラ電源ユニットの出力端に接続されたことを特徴とする、タイミングパワースイッチ。
【考案の詳細な説明】
【技術分野】
【０００１】
本考案は一種の電源スイッチに係り、特に、一種のタイミングパワースイッチに関する。
【背景技術】
【０００２】
ある電器設備、例えば炊飯器、ヒーター、広告看板、ネオンライト等は、使用時に連続作業時間に一定の制限がある。電源スイッチはプラグ、コネクタ、ソケット或いは分電盤中に広く応用されている。周知の電源スイッチは一般に、絶縁ケースとリード片で構成され、そのうちの一部はコントロールスイッチを有し、使用時には、リード片を電源に接続し、電源を切断する必要のある時は、リード片を抜き取るか或いはコントロールスイッチを切断すればよい。
【考案の概要】
【考案が解決しようとする課題】
【０００３】
ただし、上述の電源スイッチには定時機能がなく、電源を切るのを忘れると、往々にして電器設備が長時間の通電により電気を浪費すると共に、電器設備が長時間動作状態に置かれて発熱老化し、さらには損壊することがある。
【０００４】
本考案の目的は、上述の周知技術の不足に対して、定時オンオフが行えるタイミングパワースイッチを提供することにある。
【課題を解決するための手段】
【０００５】
上述の目的を達成するため、本考案の提供するタイミングパワースイッチは、電源回路ユニット、スイッチ回路ユニット、及びコントロールユニットを包含する。該電源回路ユニットは交流電源に接続され、該電源回路ユニットは降圧器、整流器、電圧安定器及び濾波器を包含する。該電圧安定器は第１トランジスタとフィードバック回路を包含する。該フィードバック回路は比較器と複数の抵抗を包含し、該第１トランジスタのコレクタとエミッタは該整流器の電圧出力端に並列に接続され、該第１トランジスタのエミッタは接地され、該第１トランジスタのベースの一端は該比較器の出力端に接続される。該スイッチ回路ユニットと該電源回路ユニットの出力端は接続される。該スイッチ回路ユニットはリレーとリレー動作制御用の駆動回路を包含する。該コントロールユニットは定時コントロールを行うマイクロコントローラ、マイクロコントローラ電源ユニット、定時表示ユニット及び定時設定スイッチを包含する。該マイクロコントローラの制御出力端と該駆動回路の入力端が接続され、該マイクロコントローラ電源ユニットは該電源回路ユニットの出力端に接続され、該定時表示ユニットは該マイクロコントローラの表示出力端に接続され、該定時設定スイッチは該マイクロコントローラに接続される。
【考案の効果】
【０００６】
上述したように、本考案のタイミングパワースイッチは、マイクロコントローラが定時出力信号を駆動回路に提供してリレーを制御し、これにより、被制御交流回路のオンオフを制御し、電器設備の電源切断を忘れた状況での長時間の通電によるエネルギーの浪費と損壊の形成を防止する。
【図面の簡単な説明】
【０００７】
【図１】本考案のタイミングパワースイッチの構造表示図である。
【図２】図１のタイミングパワースイッチの電源回路ユニット及びスイッチ回路ユニットの原理図である。
【図３】図１のタイミングパワースイッチのコントロールユニットの原理図である。
【図４】図１のタイミングパワースイッチのコントロールユニットのもう一種類の原理図である。
【考案を実施するための形態】
【０００８】
以下に本考案の技術内容、構造特徴、達成しようとする目的及び作用効果を詳細に説明するため、実施例を挙げ並びに図面と組み合わせて詳しく説明する。
【０００９】
図１を参照されたい。本考案のタイミングパワースイッチ１００は、電源回路ユニット１０、スイッチ回路ユニット２０及びコントロールユニット３０を包含する。
【００１０】
図１及び図２を参照されたい。該電源回路ユニット１０は交流電源に接続され、該電源回路ユニット１０は降圧器１１、整流器１２、電圧安定器１３及び濾波器１４を包含する。該電圧安定器１３は第１トランジスタＱ１とフィードバック回路１３１を包含する。該フィードバック回路１３１は比較器Ａと複数の抵抗Ｒ１１、Ｒ１２、Ｒ１４を包含する。該抵抗Ｒ１１の一端と抵抗Ｒ１２の一端は接続され、該抵抗Ｒ１１の別端は該電源回路ユニット１０の出力端電圧ＶＣＣに接続され、抵抗Ｒ１２の別端は接地し、比較器Ａの同相入力端は抵抗Ｒ１１と抵抗Ｒ１２の間に接続され、比較器Ａの逆相入力端は標準電圧に接続される。第１トランジスタＱ１のコレクタとエミッタは該整流器１２の電圧出力端に並列に接続され、該第１トランジスタＱ１のエミッタは接地され、該第１トランジスタＱ１のベースの一端は該比較器Ａの出力端に接続される。
【００１１】
該電源回路ユニット１０の出力端電圧ＶＣＣが設定値より高い時、比較器Ａは信号を第１トランジスタＱ１に伝送し、第１トランジスタＱ１は閉じた状態を呈し、このとき、整流器１２の電圧出力端は接地し、該電源回路ユニット１０は電源出力を停止する。電源回路ユニット１０の出力端電圧ＶＣＣが設定値より低い時、該比較器Ａは別の信号を該第１トランジスタＱ１に提供し、第１トランジスタＱ１は切断状態を呈し、このとき、整流器１２の出力電圧は正常に出力される。
【００１２】
図１及び図２を参照されたい。上述のスイッチ回路ユニット２０と電源回路ユニット１０の出力端は接続され、該スイッチ回路ユニット２０はリレー２１及び駆動回路２２を包含し、該リレー２１と駆動回路２２の出力端は接続されて、被制御交流回路のオンオフ制御に用いられる。駆動回路２２は第２トランジスタＱ２を包含し、該第２トランジスタＱ２はコントロールユニット３０の伝送した信号を受け取り、閉じるか或いは開き、リレー２１を駆動し、これにより被制御交流回路のオンオフを制御する。
【００１３】
図１及び図３を参照されたい。上述のコントロールユニット３０はマイクロコントローラ３１、マイクロコントローラ電源ユニット３２、定時表示ユニット３３、定時設定スイッチ３４及びブザー３５を包含する。マイクロコントローラ３１は被制御交流回路を定時制御してオンオフさせ、該マイクロコントローラ３１内には複数の、特定時間長の設定時間値が設定され、それは該設定時間値に計時開始してスイッチ回路ユニット２０を制御し、マイクロコントローラ３１の制御出力端と駆動回路２２の入力端が接続される。マイクロコントローラ電源ユニット３２は電源回路ユニット１０の出力端に接続され、後述の標準電圧がマイクロコントローラ電源ユニット３２の出力電圧とされる。該マイクロコントローラ電源ユニット３２は第３トランジスタＱ３、抵抗Ｒ６、コンデンサＣ５及びツェナダイオードＤ６を包含し、該抵抗Ｒ６、コンデンサＣ５及び第３トランジスタＱ３がろ波回路を構成して電源回路ユニット１０の出力電圧に対してろ波を行なう。ツェナダイオードＤ６の一端は第３トランジスタＱ３のベースに接続され、第３トランジスタＱ３のエミッタはマイクロコントローラ電源ユニット３２の出力端に接続される。ツェナダイオードＤ６はさらに電源回路ユニット１０の出力電圧に対して電圧安定化を行ない、電圧安定化後の電圧は、さらに第３トランジスタＱ３により降圧されて、マイクロコントローラ３１の動作に適合する電圧を提供する。定時表示ユニット３３はマイクロコントローラ３１の表示出力端に接続され、該定時表示ユニット３３は複数の発光ダイオードとされ、各発光ダイオードはマイクロコントローラ３１内の一つの設定時間値に対応する。定時設定スイッチ３４はマイクロコントローラ３１に接続され、対応する定時表示ユニット３３を制御する。ブザー３５はマイクロコントローラ３１の信号出力端に接続される。
【００１４】
図２及び図３を参照されたい。本考案のタイミングパワースイッチ１００に交流電源が接続されると、マイクロコントローラ３１が信号を定時表示ユニット３３に伝送して発光ダイオードを循環発光させ、この時、定時設定スイッチ３４は一つの設定時間値を選定し、マイクロコントローラ３１は信号をこれら発光ダイオードと駆動回路２２に伝送し、該設定時間値に対応する発光ダイオードを続けて発光させ、その他の発光ダイオードの発光を停止させ、駆動回路２２の第２トランジスタＱ２部分は閉じた状態となり、リレー２１を駆動して吸着させ、被制御交流回路を導通させる。同時にマイクロコントローラ３１は該設定時間値に対して計時を実行開始し、計時終了時に、マイクロコントローラ３１は信号をブザー３５及び駆動回路２２に送り、ブザー３５はこれによりアラーム音を発生し、駆動回路２２の第２トランジスタＱ２は切断状態となり、リレー２１を駆動して釈放し、これにより、被制御交流回路に対して回路切断する。
【００１５】
上述したように、本考案のタイミングパワースイッチ１００は、マイクロコントローラ３１が定時に信号を駆動回路２２に出力してリレー２１を制御することで、被制御交流回路のオンオフを行ない、これにより電器設備の電源切り忘れによる長時間の通電で電力を浪費したり損壊を形成したりするのを防止できる。
【００１６】
本考案は上述の具体的実施方式に局限されるわけではなく、本考案の技術領域に詳しい者は、本考案に基づき多種類の変更を行うことができ、例えば、図４に示されるように、コントロールユニット３０のブザー３５を排除してもよく、このような変更はいずれも本考案の実用新案登録請求範囲のカバー範囲である。
【符号の説明】
【００１７】
１００  タイミングパワースイッチ
１０  電源回路ユニット          １１  降圧器
１２  整流器                    １３  電圧安定器
１３１  フィードバック回路      １４  濾波器
２０  スイッチ回路ユニット      ２１  リレー
２２  駆動回路                  ３０  コントロールユニット
３１  マイクロコントローラ      ３２  マイクロコントローラ電源ユニット
３３  定時表示ユニット          ３４  定時設定スイッチ
３５  ブザー                    Ｑ１  第１トランジスタ
Ａ  比較器                      Ｃ５  コンデンサ
Ｄ６  ツェナダイオード
Ｒ６、Ｒ１１、Ｒ１２、Ｒ１４  抵抗
【図１】
0003161370.tif 000003
【図２】
0003161370.tif 000004
【図３】
0003161370.tif 000005
【図４】
0003161370.tif 000006